(57)【要約】【課題】適正位置に固定することで、周囲の瓦に太陽電池パネル等の荷重がかからないようにすること。【解決手段】上面に太陽光パネルＰを取り付けるための支持部３０が設けられた瓦状の支持本体部２０と、支持本体部２０の下面に設けられた突起部４０と、野地板Ｒ上に突起部４０に対向し、かつ、野地板Ｒの面に沿ってスライド自在に設けられたスペーサ５２と、スペーサ５２を野地板Ｒに固定するボルト５３とを備えている。【選択図】図２
2014001571.tif 000002
【特許請求の範囲】
【請求項１】
屋根上設置物を野地板上に固定するための瓦状支持装置において、
上面に前記屋根上設置物を取り付けるための支持部が設けられた瓦状の支持本体部と、
この支持本体部の下面に設けられた突起部と、
前記野地板上に前記突起部に対向し、かつ、前記野地板の面に沿ってスライド自在に設けられたスペーサとを備えていることを特徴とする瓦状支持装置。
【請求項２】
屋根上設置物を野地板上に固定するための瓦状支持装置において、
上面に前記屋根上設置物を取り付けるための支持部が設けられた瓦状の支持本体部と、
前記野地板上に前記支持本体部の下面に対向し、かつ、前記野地板の面に沿ってスライド自在に設けられたスペーサとを備えていることを特徴とする瓦状支持装置。
【請求項３】
屋根上設置物を野地板上に固定するための瓦状支持装置において、
瓦状の支持本体部と、
この支持本体部の上面に設けられ、前記屋根上設置物を取り付けるための支持部と、
この支持部に設けられ、支持本体部の上面側から下面側に貫通する貫通穴とを備えていることを特徴とする瓦状支持装置。
【発明の詳細な説明】
【技術分野】
【０００１】
本発明は、太陽光パネル等の屋根上設置物を住宅屋根に設置するための瓦状支持装置に関し、特に屋根材への負担を軽減し、かつ、設置の容易性を図る技術に関する。
【背景技術】
【０００２】
家屋の屋根に、太陽光パネル等の屋根上設置物を取り付ける場合には、屋根に固定した支持装置に、強風等でも飛ばされることがないように強固に取り付ける必要がある。支持装置は、例えば瓦上面に設け、この支持装置を用いて太陽光パネルを取り付ける（例えば、特許文献１参照。）。
【０００３】
図２１は、このような支持装置が用いられた屋根構造を示す断面図である。屋根構造は、野地板Ｒと、この野地板Ｒ上に水平方向に延設された横桟Ｌと、この横桟Ｌに一部が引掛けられて配置された瓦Ｎを備えている。また、瓦Ｎと同様に横桟Ｌに一部が引掛けられて配置された瓦状支持装置２００とを備えている。瓦状支持装置２００の上面中央には、太陽電池パネルＰを取り付けるためのブラケット２１０が設けられ、下面中央には支え突部２２０が設けられている。
【０００４】
瓦状支持装置２００には、太陽電池パネルＰの荷重がかかるため、瓦状支持装置２００の下側となる瓦Ｎ上面には大きな荷重がかかり、割れることがある。これを防止するため、支え突部２２０と野地板Ｒとの間に、楔状の介装材２３０を嵌め込み、瓦状支持装置２００を少し浮かすことで、瓦Ｎの破損を防止していた。
【０００５】
また、図２２に示すように、瓦状支持装置２００に設けられたブラケット２１０と太陽電池パネルＰとは、ボルト穴２１１を用いて固定すると共に、瓦状支持装置２００は、ネジ孔２０１を用いて野地板Ｒに固定されている。
【先行技術文献】
【特許文献】
【０００６】
【特許文献１】特許第３１９０５５９号公報
【発明の概要】
【発明が解決しようとする課題】
【０００７】
上述した瓦状支持装置では、次のような問題があった。すなわち、介装材２３０は、瓦状支持装置２００の下側に挿入された後も固定されていない。このため、支え突部２２０が瓦状支持装置２００の裏面中央部に位置していることから、介装材２３０を挿入した後、瓦状支持装置２００をネジで野地板Ｒに固定する間、適正な位置に保たれているか否かを確認することが困難である。
【０００８】
したがって、何らかの要因で介装材２３０が支え突部２２０から外れてしまうと、瓦状支持装置２００を固定するネジが緩み、周囲の瓦Ｎに太陽電池パネルＰや積雪の荷重が伝わることとなる。このため、瓦Ｎを破損する虞がある。瓦Ｎが破損すると、雨漏りが生じる虞がある。さらに太陽電池パネルＰが受ける風圧荷重の振動により瓦状支持装置２００を固定するネジはさらに緩む虞がある。
【０００９】
そこで本発明は、適正位置に固定することで、周囲の瓦に太陽電池パネル等の荷重がかからないようにすることができる瓦状支持装置を提供することを目的としている。
【課題を解決するための手段】
【００１０】
前記課題を解決し目的を達成するために、本発明の瓦状支持装置は次のように構成されている。
【００１１】
（１）屋根上設置物を野地板上に固定するための瓦状支持装置において、上面に前記屋根上設置物を取り付けるための支持部が設けられた瓦状の支持本体部と、この支持本体部の下面に設けられた突起部と、前記野地板上に前記突起部に対向し、かつ、前記野地板の面に沿ってスライド自在に設けられたスペーサと、このスペーサを前記野地板に固定する固定部材とを備えていることを特徴とする。
【００１２】
（２）屋根上設置物を野地板上に固定するための瓦状支持装置において、上面に前記屋根上設置物を取り付けるための支持部が設けられた瓦状の支持本体部と、前記野地板上に前記支持本体部の下面に対向し、かつ、前記野地板の面に沿ってスライド自在に設けられたスペーサと、このスペーサを前記野地板に固定する固定部材とを備えていることを特徴とする。
【００１３】
（３）屋根上設置物を野地板上に固定するための瓦状支持装置において、瓦状の支持本体部と、この支持本体部の上面に設けられ、前記屋根上設置物を取り付けるための支持部と、この支持部に設けられ、支持本体部の上面側から下面側に貫通する貫通穴とを備えていることを特徴とする。
【発明の効果】
【００１４】
本発明によれば、適正位置に固定することで、周囲の瓦に屋根上設置物の荷重がかからないようにすることができる瓦状支持装置を提供することを目的としている。
【図面の簡単な説明】
【００１５】
【図１】本発明の第１の実施の形態に係る瓦状支持装置を示す斜視図。
【図２】同瓦状支持装置を示す断面図。
【図３】同瓦状支持装置を示す上面図。
【図４】同瓦状支持装置を軒先側から示す正面図。
【図５】同瓦状支持装置を示す下面図。
【図６】同瓦状支持装置を棟側から示す正面図。
【図７】同瓦状支持装置の設定方法を示す説明図。
【図８】同瓦状支持装置の設定方法を示す説明図。
【図９】本発明の第２の実施の形態に係る瓦状支持装置を示す上面図。
【図１０】同瓦状支持装置を軒先側から示す正面図。
【図１１】同瓦状支持装置を示す下面図。
【図１２】同瓦状支持装置を棟側から示す正面図。
【図１３】図１３は本発明の第３の実施の形態に係る瓦状支持装置を示す斜視図。
【図１４】図１４は瓦状支持装置を示す断面図。
【図１５】図１５は瓦状支持装置を軒先側から示す正面図。
【図１６】図１６は瓦状支持装置を示す下面図。
【図１７】図１７は瓦状支持装置の設定方法を示す説明図。
【図１８】図１８は瓦状支持装置の設定方法を示す説明図。
【図１９】図１９は本発明の第４の実施の形態に係る瓦状支持装置を軒先側から示す正面図。
【図２０】図２０は瓦状支持装置１００Ａを示す下面図
【図２１】瓦状支持装置の一例を示す断面図。
【図２２】瓦状支持装置の別の例を示す斜視図。
【発明を実施するための形態】
【００１６】
図１は本発明の第１の実施の形態に係る瓦状支持装置１０を示す斜視図、図２は瓦状支持装置１０を示す断面図、図３は瓦状支持装置１０を示す上面図、図４は瓦状支持装置１０を軒先側から示す正面図、図５は瓦状支持装置１０を示す下面図、図６は瓦状支持装置１０を棟側から示す正面図、図７は瓦状支持装置１０の設定方法を示す説明図、図８は瓦状支持装置１０の設定方法を示す説明図である。なお、これらの図中Ｐは太陽光パネル（屋根上設置物）、Ｒは野地板、Ｌは横桟、Ｂはブラケット、Ｇはボルト、Ｋ（ＫＬ,ＫＨ）は通常の瓦を示している。
【００１７】
瓦状支持装置１０は、太陽光パネルＰを野地板Ｒ上に固定する装置であり、アルミ・鉄・樹脂等の太陽光パネルＰの荷重や積雪荷重に対して強度を確保できる材質のもので形成されている。瓦状支持装置１０は、住宅等に葺き重ねられる瓦Ｋと外形がほぼ同形状である支持本体部２０と、この支持本体部２０の上面に設けられ、太陽光パネルＰを取り付けるためのブラケットＢが着脱自在に取り付けるための支持部３０と、支持本体部２０の下面に設けられたリブ４０と、野地板Ｒ上にリブ４０に対向して設けられた高さ調整部５０とを備えている。
【００１８】
支持本体部２０は、波板状の基部２１を備えている。図２に示すように、基部２１の軒先側２１ａは軒先側に隣接する瓦ＫＬの上部に、棟側２１ｂは棟側に隣接する瓦ＫＨの下部に配置される。なお、基部２１の下端には下縁部２２が形成され、隣接する瓦ＫＬの上面に突き当たる。
【００１９】
支持部３０には、ブラケットＢを取り付けるための支持本体部２０の上面側から下面側に貫通する貫通穴３１が設けられている。この貫通穴３１は、支持本体部２０を野地板Ｒに取り付けるためにも用いられる。
【００２０】
リブ４０は、基部２１の裏面側に縦横に設けられた突条が相当する。
【００２１】
高さ調整部５０は、野地板Ｒ上に取り付けられた平板状の固定台５１と、この固定台５１を、野地板Ｒの面に沿ってスライド自在に設けられた断面矩形状の棒材５２ａと上方に突出する突部５２ｂから形成されたスペーサ５２と、このスペーサ５２を固定台５１に固定するためのボルト（固定部材）５３とを備えている。なお、スペーサ５２の長手方向の長さは、支持本体部２０の水平方向の長さよりも長く形成されている。
【００２２】
このように構成された瓦状支持装置１０は次のように用いられる。すなわち、太陽光パネルＰを設置する場所を決め、固定台５１を横桟Ｌの間に設置する。この時、スペーサ５２をその長手方向を水平にして固定台５１の軒先側に置く。次に、軒先側から棟側にかけて野地板Ｒ上に瓦Ｋから順次配置していく。この時、軒先側の瓦Ｋの棟側の瓦Ｋが重なる。そして、固定台５１の上では、瓦Ｋの代わりに支持本体部２０を配置する。さらに、棟側に向けて瓦Ｋを配置していく。これにより、図７に示すように、支持本体部２０の下縁部２２は瓦Ｋの上面に突き当たる。
【００２３】
次に、図８に示すように、固定台５１上のスペーサ５２を野地板Ｒの斜面に沿って上下方向に動かし、下縁部２２が瓦Ｋの上面から離間させる。この状態でスペーサ５２をボルト５３で固定する。
【００２４】
次に、支持部３０上にブラケットＢを位置決めし、ボルトＧをブラケットＢ側から支持部３０の貫通穴３１、固定台５１、野地板Ｒの順で止めつける。これにより、瓦支持装置１０へのブラケットＢの固定と、瓦支持装置１０の野地板Ｒへの固定を同時に行う。そして、ブラケットＢに、ボルトＴにより太陽光パネルＰを固定する。
【００２５】
このように構成された瓦状支持装置１０では、使用時には、支持本体部２０の下縁部２２を瓦ＫＬの上面から離間させることができるため、太陽光パネルＰの荷重や積雪荷重を瓦ＫＬに伝えることがない。したがって、瓦ＫＬを破損させることがない。
【００２６】
一方、瓦状支持装置１０の設置時は、スペーサ５２の位置をボルト５３で固定することができるため、支持本体部２０の設置後にスペーサ５２が外れることがなく、野地板Ｒに固定する間、適正な位置に保たれている。したがって、瓦ＫＬに太陽電池パネルＰや積雪の荷重が伝わることはない。
【００２７】
図９は本発明の第２の実施の形態に係る瓦状支持装置１００を示す上面図、図１０は瓦状支持装置１００を軒先側から示す正面図、図１１は瓦状支持装置１００を示す下面図、図１２は瓦状支持装置１００を棟側から示す正面図である。
【００２８】
瓦状支持装置１００は、太陽光パネル（不図示）を野地板上に固定する装置であり、アルミ・鉄・樹脂等の太陽光パネルの荷重や積雪荷重に対して強度を確保できる材質のもので形成されている。瓦状支持装置１００は、住宅等に葺き重ねられる平板瓦と外形がほぼ同形状である支持本体部１２０と、この支持本体部１２０の上面に設けられ、太陽光パネルを取り付けるためのブラケット（不図示）が着脱自在に取り付けるための支持部１３０と、支持本体部１２０の下面に設けられたリブ１４０と、野地板Ｒ上にリブ１４０に対向して設けられた高さ調整部１５０とを備えている。
【００２９】
支持本体部１２０は、板状の基部１２１を備えている。基部１２１の軒先側１２１ａは軒先側に隣接する瓦の上部に、棟側１２１ｂは棟側に隣接する瓦の下部に配置される。なお、基部１２１の下端には下縁部１２２が形成され、隣接する瓦の上面に突き当たる。
【００３０】
支持部１３０には、ブラケットを取り付けるための支持本体部１２０の上面側から下面側に貫通する貫通穴１３１が設けられている。この貫通穴１３１は、支持本体部１２０を野地板に取り付けるためにも用いられる。
【００３１】
リブ１４０は、基部１２１の裏面側に縦横に設けられた突条が相当する。
【００３２】
高さ調整部１５０は、野地板上に取り付けられた平板状の固定台１５１と、この固定台１５１を、野地板の面に沿ってスライド自在に設けられた断面矩形状の棒材から形成されたスペーサ１５２と、このスペーサ１５２を固定台１５１に固定するためのボルト（固定部材）１５３とを備えている。なお、スペーサ１５２の長手方向の長さは、支持本体部１２０の水平方向の長さよりも長く形成されている。
【００３３】
このように構成された瓦状支持装置１００においても、前述した瓦状支持装置１０と同様に機能する。
【００３４】
図１３は本発明の第３の実施の形態に係る瓦状支持装置１０Ａを示す斜視図、図１４は瓦状支持装置１０Ａを示す断面図、図１５は瓦状支持装置１０Ａを軒先側から示す正面図、図１６は瓦状支持装置１０Ａを示す下面図、図１７は瓦状支持装置１０Ａの設定方法を示す説明図、図１８は瓦状支持装置１０の設定方法を示す説明図である。なお、これらの図において上述した図１〜８と同一機能部分には同一符号を付し、その詳細な説明は省略する。
【００３５】
瓦状支持装置１０Ａにおいては、リブ４０の一部に下方に突出する突出部４５が設けられており、後述するスペーサ５２Ａに当接する。
【００３６】
高さ調整部５０は、野地板Ｒ上に取り付けられた平板状の固定台５１と、この固定台５１を、野地板Ｒの面に沿ってスライド自在に設けられた断面矩形状の棒材５２ａから形成されたスペーサ５２Ａと、このスペーサ５２Ａを固定台５１に固定するためのボルト５３とを備えている。なお、スペーサ５２Ａの長手方向の長さは、支持本体部２０の水平方向の長さよりも長く形成されている。
【００３７】
このように構成された瓦状支持装置１０Ａは次のように用いられる。すなわち、太陽光パネルＰを設置する場所を決め、固定台５１を横桟Ｌの間に設置する。この時、スペーサ５２Ａをその長手方向を水平にして固定台５１の軒先側に置く。次に、軒先側から棟側にかけて野地板Ｒ上に瓦Ｋから順次配置していく。この時、軒先側の瓦Ｋの棟側の瓦Ｋが重なる。そして、固定台５１の上では、瓦Ｋの代わりに支持本体部２０を配置する。さらに、棟側に向けて瓦Ｋを配置していく。これにより、図１７に示すように、支持本体部２０の下縁部２２は瓦Ｋの上面に突き当たる。
【００３８】
次に、図１８に示すように、固定台５１上のスペーサ５２Ａを野地板Ｒの斜面に沿って上下方向に動かし、下縁部２２が瓦Ｋの上面から離間させる。この状態でスペーサ５２Ａをボルト５３で固定する。
【００３９】
次に、支持部３０上にブラケットＢを位置決めし、ボルトＧをブラケットＢ側から支持部３０の貫通穴３１、固定台５１、野地板Ｒの順で止めつける。これにより、瓦支持装置１０ＡへのブラケットＢの固定と、瓦支持装置１０Ａの野地板Ｒへの固定を同時に行う。そして、ブラケットＢに、ボルトＴにより太陽光パネルＰを固定する。
【００４０】
このように構成された瓦状支持装置１０Ａにおいても、前述した瓦状支持装置１０と同様に機能する。
【００４１】
図１９は本発明の第４の実施の形態に係る瓦状支持装置１００Ａを軒先側から示す正面図、図２０は瓦状支持装置１００Ａを示す下面図である。これらの図において、図９〜１２と同一機能部部分には同一符号を付し、その詳細な説明は省略する。
【００４２】
瓦状支持装置１００Ａにおいては、リブ１４０の一部に下方に突出する突出部１４５が設けられており、後述するスペーサ１５２Ａに当接する。
【００４３】
高さ調整部１５０は、野地板上に取り付けられた平板状の固定台１５１と、この固定台１５１を、野地板の面に沿ってスライド自在に設けられた断面矩形状の棒材から形成されたスペーサ１５２Ａと、このスペーサ１５２Ａを固定台１５１に固定するためのボルト（固定部材）１５３とを備えている。なお、スペーサ１５２Ａの長手方向の長さは、支持本体部１２０の水平方向の長さよりも長く形成されている。
【００４４】
このように構成された瓦状支持装置１００Ａにおいても、前述した瓦状支持装置１０と同様に機能する。
【００４５】
なお、本発明は前記実施の形態に限定されるものではない。例えば上記の例では、固定台５１，１５１を用いているが、これらの固定台５１，１５１は使用しなくてもよい。この他、本発明の要旨を逸脱しない範囲で種々変形実施可能であるのは勿論である。
【符号の説明】
【００４６】
１０，１００…瓦状支持装置、２０,１２０…支持本体部、３０，１３０…支持部、４０，１４０…リブ、４５，１４５…突起部、５０,１５０…高さ調整部、５２，５２Ａ，１５２，１５２Ａ…スペーサ、Ｐ…太陽光パネル（屋根上設置物）、Ｒ…野地板、Ｌ…横桟、Ｂ…ブラケット、Ｇ…ボルト、Ｋ（ＫＬ,ＫＨ）…瓦。
【図１】
2014001571.tif 000003
【図２】
2014001571.tif 000004
【図３】
2014001571.tif 000005
【図４】
2014001571.tif 000006
【図５】
2014001571.tif 000007
【図６】
2014001571.tif 000008
【図７】
2014001571.tif 000009
【図８】
2014001571.tif 000010
【図９】
2014001571.tif 000011
【図１０】
2014001571.tif 000012
【図１１】
2014001571.tif 000013
【図１２】
2014001571.tif 000014
【図１３】
2014001571.tif 000015
【図１４】
2014001571.tif 000016
【図１５】
2014001571.tif 000017
【図１６】
2014001571.tif 000018
【図１７】
2014001571.tif 000019
【図１８】
2014001571.tif 000020
【図１９】
2014001571.tif 000021
【図２０】
2014001571.tif 000022
【図２１】
2014001571.tif 000023
【図２２】
2014001571.tif 000024